(57)【要約】      （修正有）【課題】帽子を頭部に着用する以外に身体の所望の部位に装着して使用できる多用途帽子を提供する。【解決手段】帽子１００と、所望時に帽子１００に着脱可能に取付けて使用する装着用の紐２００とを備える。帽子１００は発泡樹脂材で全体の外形を略正四角錐形状に形成した帽子本体１と、中央部に頭部に嵌合する嵌合孔２０を有し、本体１の底部に設けた底壁部２とを備える。本体１の中空内部の頂部には水晶その他のクオーツ３を取付ける。底壁部２は帽子本体１の各壁部の底縁から折り曲げ可能に延設した折り返し壁部２２を内側方向へ水平に折り返して隣接する折り返し壁部２２同士を留め具２３としてホックで係着して構成し、嵌合孔２０は各折り返し壁部２２の先端縁で形成する。紐２００は所望時に底壁部２にホック部６０ａ、６０ｂで着脱可能に取付けて使用する。【選択図】図１
0003213577.tif 000002
【実用新案登録請求の範囲】
【請求項１】
帽子と、所望時に前記帽子に取付けて身体の所望の部位に前記帽子を装着する際に使用する装着用の紐とを備えた多用途帽子であって、
前記帽子は、発泡樹脂材で全体の外形を略正四角錐形状に形成し、内部を中空に形成した中空内部を有する帽子本体と、略中央部に頭部に嵌合する略円形状の嵌合孔を有し、前記本体の底部に設けた底壁部とを備え、
前記本体の前記中空内部の頂部には、所望の大きさ、かつ、所望形状の水晶その他のクオーツが取付けられて設けられ、
前記本体は、前記本体の略正四角錐形状を形成した略三角形状の各壁部の底縁から折り線を介して折り曲げ可能に延設した折り返し壁部を備え、
前記底壁部は、前記各折り返し壁部を前記本体の内側方向へ略水平状に折り返して隣接する前記各折り返し壁部同士をホックその他の留め具で係脱可能に係着して構成され、
前記略円形状の前記嵌合孔は、前記各折り返し壁部の先端縁で形成され、
前記装着用の紐は、ゴム紐、繊維紐その他の所望の素材の紐で構成され、所望時に前記底壁部の所望の部位にホックその他の所望の取付手段で着脱可能に取付けて使用するように構成されている
ことを特徴とする多用途帽子。
【請求項２】
前記装着用の紐は、前記底壁部の対向する前記折り返し壁部の所望の部位に前記取付手段で着脱可能に取付けて使用するように構成されていることを特徴とする請求項１に記載の多用途帽子。
【請求項３】
前記帽子の前記底壁部の前記各折り返し壁部の外壁面の所望の部位は補強材で補強されていることを特徴とする請求項１に記載の多用途帽子。
【請求項４】
前記帽子の帽子本体の前記略三角形状の各壁部の外壁面の所望の部位は補強材で補強されていることを特徴とする請求項１に記載の多用途帽子。
【請求項５】
前記帽子の前記底壁部の前記各折り返し壁部及び前記帽子本体の前記略三角形状の各壁部の外壁面の所望の部位は補強材で補強されていることを特徴とする請求項１に記載の多用途帽子。
【考案の詳細な説明】
【技術分野】
【０００１】
本考案は、多用途帽子に関する。さらに詳しくは、頭部及び頭部以外の身体の所望の部位に装着して使用することができる多用途帽子に関する。
【背景技術】
【０００２】
従来より、未知なるエネルギーとしてピラミッドパワーが一般に知られている。しかし、ピラミッドパワーの実体については未だ解明されていない。本出願人は、ピラミッドパワーに着目し、発泡ポリエチレン等の発泡樹脂材で形成したピラミッド形の帽子を開発した。この帽子は、全体を略四角錐形状の箱形に形成したピラミッド形の帽子本体の底部に、頭部に嵌合する嵌合孔を有する底壁部を設け、頭部に嵌合して着用するように構成したものである（特許文献１参照）。
【０００３】
特許文献１に記載の発明（以下「先行発明」という）によれば、安全かつ着用時に頭部への負担が少なく、優れた意匠美を有する帽子を提供できる。
【先行技術文献】
【特許文献】
【０００４】
【特許文献１】特開２００３−１８３９２２号公報
【考案の概要】
【考案が解決しようとする課題】
【０００５】
ところで、先行発明の帽子は、頭部に嵌合して着用する頭部専用に構成されている帽子であるが、本考案者は、発想を転換して、従来通りにそのままま頭部へ着用できると共に頭部以外の身体の所望の部位へ装着できるように構成して前記帽子の用途範囲を広くすることを考えた。
【０００６】
しかし、先行発明の帽子は、そのままでは頭部以外の身体の背中部、腰部、肩部、或いは膝部その他の所望の部位へ装着することができない問題を有している。
【０００７】
本考案に上記したような実情に鑑みてなされたもので、先行発明の有する特長はそのまま活用し、帽子を従来通りにそのまま頭部へ着用できると共に、頭部以外の身体の所望の部位に装着して使用できるように構成した多用途帽子を提供することを目的とするものである。
【課題を解決するための手段】
【０００８】
上記目的を達成するため、本考案のうち１つの考案（第１の考案）は、帽子と、所望時に前記帽子に取付けて身体の所望の部位に前記帽子を装着する際に使用する装着用の紐とを備えた多用途帽子であって、
前記帽子は、発泡樹脂材で全体の外形を略正四角錐形状に形成し、内部を中空に形成した中空内部を有する帽子本体と、略中央部に頭部に嵌合する略円形状の嵌合孔を有し、前記本体の底部に設けた底壁部とを備え、
前記本体の前記中空内部の頂部には、所望の大きさ、かつ、所望形状の水晶その他のクオーツが取付けられて設けられ、
前記本体は、前記本体の略正四角錐形状を形成した略三角形状の各壁部の底縁から折り線を介して折り曲げ可能に延設した折り返し壁部を備え、
前記底壁部は、前記各折り返し壁部を前記本体の内側方向へ略水平状に折り返して隣接する前記各折り返し壁部同士をホックその他の留め具で係脱可能に係着して構成され、
前記略円形状の前記嵌合孔は、前記各折り返し壁部の先端縁で形成され、
前記装着用の紐は、ゴム紐、繊維紐その他の所望の素材の紐で構成され、所望時に前記底壁部の所望の部位にホックその他の所望の取付手段で着脱可能に取付けて使用するように構成されていることを特徴とする。
【０００９】
上記のように構成すると、装着用の紐を取付けないで使用するときは従来通りに頭部へ嵌合して帽子として使用できる。また、前記紐を取付けることにより、頭部以外の身体の所望の部位へ前記紐を利用して前記帽子を安定して装着して使用することができる。
【００１０】
本考案の他の１つの考案（第２の考案）は、第１の考案の多用途帽子において、前記装着用の紐は、前記底壁部の対向する前記折り返し壁部の所望の部位に前記取付手段で着脱可能に取付けて使用するように構成されていることを特徴とする。
【００１１】
本考案のさらに他の１つの考案（第３の考案）は、第１の考案の多用途帽子において、前記帽子の前記底壁部の前記各折り返し壁部の外壁面の所望の部位は補強材で補強されていることを特徴とする。
【００１２】
本考案のさらに他の１つの考案（第４の考案）は、第１の考案の多用途帽子において、前記帽子の帽子本体の前記略三角形状の各壁部の外壁面の所望の部位は補強材で補強されていることを特徴とする。
【００１３】
本考案のさらに他の１つの考案（第５の考案）は、第１の考案の多用途帽子において、前記帽子の前記底壁部の前記各折り返し壁部及び前記帽子本体の前記略三角形状の各壁部の外壁面の所望の部位は補強材で補強されていることを特徴とする。
【考案の効果】
【００１４】
本考案によれば、次のような作用効果を奏する。
（１）先行発明の上述した作用効果を発揮する帽子を提供することができる。
（２）装着用の紐を取付けないで使用する場合には、頭部に嵌合して着用し、帽子として使用することができる。
（３）前記紐を取付けて使用することにより、頭部以外の身体の所望の部位へ帽子を安定して装着することができる。
（４）帽子に水晶パワーその他のクオーツパワーによる心理的効果を具備させることができる。
（５）第３ないし第５の考案によれば、前記諸効果に加え、底壁部に前記紐を取付けて底壁部が引っ張られても底壁部及び帽子本体が変形して型崩れを起こすことを防止することができる。
【図面の簡単な説明】
【００１５】
【図１】本考案の一実施形態の多用途帽子の構成を概略的に示す説明斜視図（ａ）と説明底面図（ｂ）である。
【図２】前記帽子の構成を概略的に示す図であって、同図（ａ）は説明縦断面図、同図（ｂ）は同図（ａ）の一部を拡大して示す説明縦断面図である。
【図３】前記帽子の説明展開底面図である。
【図４】前記帽子に着脱可能に取付ける装着用の紐の構成を概略的に示す図であって、同図（ａ）は説明平面図、同図（ｂ）は取付板の説明斜視図、同図（ｃ）は説明側面図である。
【図５】図４に示す装着用の紐を拡大して示す説明平面図（ａ）と説明側面図（ｂ）である。
【図６】前記装着用の紐を帽子の底壁部に着脱可能に係着して取付ける状態を示す説明図である。
【図７】前記帽子に前記紐を取付けた状態を示す説明正面図である。
【図８】前記帽子を頭部に着用した状態を示す説明図である。
【図９】前記帽子に前記紐を取付けて、身体の所望の部位（図示では腰部）に装着して使用する状態の一例を示す説明図である。
【図１０】本考案の他の実施形態の多用途帽子の構成を概略的に示す説明斜視図（ａ）と説明側面図（ｂ）である。
【図１１】図１０に示す帽子の構成を概略的に示す図であって、同図（ａ）は説明縦断面図、同図（ｂ）は同図（ａ）の一部を拡大して示す説明縦断面図である。
【図１２】図１０に示す帽子に採用した補強材の一例の構成を概略的に示す説明正面図である。
【図１３】図１０に示す帽子の説明展開平面図である。
【図１４】図１０に示す帽子の説明展開底面図である。
【図１５】本考案のさらに他の実施形態の多用途帽子の構成を概略的に示す説明正面図（ａ）と説明平面図（ｂ）である。
【図１６】図１５に示す帽子の構成を概略的に示す図であって、同図（ａ）は説明縦断面図、同図（ｂ）は同図（ａ）の一部を拡大して示す説明縦断面図である。
【図１７】図１５に示す帽子に採用した補強材の一例の構成を示す説明正面図である。
【図１８】本考案のさらに他の実施形態の多用途帽子の構成を概略的に示す図であって、同図（ａ）は説明縦断面図、同図（ｂ）は同図（ａ）の一部を拡大して示す説明縦断面図である。
【図１９】図１８に示す帽子に採用した補強材の一例の構成を概略的に示す図であって、同図（ａ）は説明正面図、同図（ｂ）は説明側面図、同図（ｃ）は説明斜視図である。
【考案を実施するための形態】
【００１６】
以下、図面を参照して本考案の多用途帽子の実施形態の一例について説明する。
【００１７】
図１ないし図９は、本考案の一実施形態（実施形態１）の多用途帽子を示す。
【００１８】
図１ないし図９に示すように、本実施形態（実施形態１）の多用途帽子は、帽子１００と、所望時に帽子１００に着脱可能に取付けて身体の所望の部位に前記帽子を装着する際に使用する装着用の紐２００とを備える。
【００１９】
前記帽子１００は、全体の外形を略正四角錐形状に形成した帽子本体１と、帽子本体１の底部に設けた底壁部２とを備える。
【００２０】
帽子本体１は内部全体を中空に形成した中空内部１１を備える。前記本体１の中空内部１１の壁面（前記本体１の内壁面）は、略正四角錐形状に形成されている。底壁部２は、略中央部に帽子の着用者の頭部Ａ（図８参照）に嵌合する嵌合孔２０を有している。
【００２１】
帽子本体１及び底壁部２は、発泡ポリエチレン、発泡ポリウレタン、発泡スチロールその他の発泡樹脂材で構成されている。本実施形態では帽子本体１及び底壁部２の構成素材として、発泡ポリエチレンを採用している。
【００２２】
帽子本体１及び底壁部２は任意の成形加工方法により成形できる。例えば、板状体の素材を切断して組み立て加工（接着剤を使用）する方法を採用できるが、真空成形等により成形する方法を採用することができる。
【００２３】
前記本体１の肉厚、即ち、前記本体１の略正四角錐形状に形成した略三角形状の４つの各壁部１０…１０及び底壁部２の後述する各折り返し壁部の肉厚は特に限定するものではなく、採用する発泡樹脂材の素材等により設定できるものであるが、例えば約１．５ミリ〜約４ミリ程度の範囲を挙げることができる。但し、上記範囲内に限定するものではない。
【００２４】
本実施形態の帽子の前記本体及び底壁部は、上述したように構成素材として発泡ポリエチレンを採用し、真空成形により成形する方法を採用している。また、本体１の肉厚（前記各壁部１０の肉厚）及び底壁部の各折り返し壁部の肉厚は約２．０ミリ程度に設定して形成されている。なお、上述したように、前記帽子の成形加工方法並びに前記本体及び底壁部の肉厚は一例として開示したもので、上記に限定するものではないこと勿論である。
【００２５】
前記帽子本体１の中空内部１１の頂部には、所望の大きさ、かつ、所望形状の水晶、アメジスト、タイガーズ・アイ、シトリンその他のクオーツ３が固定して設けられている。水晶その他のクオーツ３は、強力接着剤を用いて接着し、或いは係止用留め材３０を使用して保持する等により取付ける。本実施形態では係止用留め材３０を用いて取付けた例が開示されている。また、本実施形態ではクオーツ３として直径約２．０ｃｍ〜約２．５ｃｍの水晶球を採用した例が開示されている。
【００２６】
前記帽子１００は、上述したように、略中央部に頭部Ａに嵌合する略円形状の嵌合孔２０を有し、本体１の底部に設けた底壁部２を備える。
【００２７】
本実施形態の帽子は、帽子本体１の略正四角錐形状を形成した略三角形状の前記各壁部の底縁から折り線２１…２１を介して折り曲げ可能に延設した折り返し壁部２２、２２、２２、２２を備える。そして、前記底壁部２は、前記各折り返し壁部２２を内側方向へ略水平状に折り返すと共に隣接する各折り返し壁部２２同士をホックその他の留め具２３で係脱可能に係着して構成されている。
【００２８】
本実施形態では、留め具２３としてホックを採用している。そして、ホックの一方のホック部２３ａ（雄ホック又は雌ホック）を隣接する一方の折り返し壁部２２に固定して取付けると共にホックの他方のホック部２３ｂ（雌ホック又は雄ホック）を隣接する他方の返し壁部２２に固定して取付け、両ホック部２３ａ及び２３ｂを係合することにより、隣接する各折り返し壁部同士を係脱可能に係着するように構成されている。
【００２９】
本実施形態の底壁部２の前記略円形状の嵌合孔２０は、前記各折り返し壁部２２の先端縁で形成されている。
【００３０】
また、底壁部２の前記嵌合孔２０の周縁部には一定間隔で所望数の切り線２４…２４（切り溝）を放射状方向に形成して嵌合孔２０の周縁部に設けた弾性的に折り曲げ可能な独立した所望数の挟持片２５…２５を備えている。
【００３１】
本実施形態の帽子は、図８に示すように、底壁部２の嵌合孔２０を頭部Ａに嵌合して装着するものである。そして、前記狭持片２５…２５を設ける構成を採用することにより、各挟持片は着用者の頭部Ａにより押圧されて弾性的に折り曲げられて頭部の周囲を挟持するように作用する。これにより、帽子の着用者の頭部のサイズに対応して各挟持片が弾性的に変形して頭部を挟持するので、着用者の頭部のサイズが異なっていても、挟持片により調整して、帽子がズレ落ちたり、移動することなく、安定して装着することができる。
【００３２】
前記装着用の紐２００は、所望時に帽子１００の底壁部２の所望の部位に着脱可能に取付けて、頭部以外の身体Ｘの背中部、腰部、肩部、或いは膝部その他所望の部位へ帽子を装着する際に使用するものである。
【００３３】
前記紐２００の素材は特に限定されないが、例えばゴム紐、各種の繊維製の紐等を採用できる。但し、上記素材に限定するものではない。前記紐の長さは自由に決めることができる。本実施形態では所望の幅及び長さのゴム紐が採用されている。
【００３４】
前記紐は、所望時に、所望の取付手段６により底壁部２の所望の部位に着脱可能に取付けられる。
【００３５】
本実施形態では、取付手段６として、ホックを採用した例が開示されている。また、本実施形態では、底壁部２の対向する折り返し壁部２２、２２に前記紐を取付けるように構成した例が開示されている。
【００３６】
本実施形態の帽子は、底壁部２の対向する折り返し壁部の略中央部の部位に位置させて、ホックの一方のホック部６０ａ（雌ホック又は雄ホック）を固定して設けてある。
【００３７】
また、本実施形態は、所望の大きさ、かつ、所望形状の一対の取付板６１、６１を備える。そして、取付手段の他方のホック部６０ｂ（雄ホック又は雌ホック）は、前記両取付板６１の所望部にそれぞれ取付けてある。前記両取付板６１には前記紐を取付ける取付孔６２、６２が形成されている。
【００３８】
前記紐は、紐の長さを所望の長さに調整して、その一端部側を一方の取付板６１の取付孔６２に挿通して結び着すると共に紐の他端部側を他方の取付板６１の取付孔６２に挿通して結び着する。そして、上記状態で紐側の両ホック部６０ｂを底壁部２側の両ホック部６０ａにそれぞれ係着することにより、前記紐を帽子の底壁部２に着脱可能に取付ける。これにより、図７に示すように、帽子の底壁部に装着用の紐を着脱可能に取付けることができる。
【００３９】
なお、装着用の紐の前記取付手段６は一例として開示したもので、上記に限定するものではなく、任意の構成のものを採用できる。要は、底壁部の所望の部位に着脱可能になるように取付けるように構成すればよいものである。また、前記紐の取付部位も任意に変更できる。要は、底壁部の所望の部位に着脱可能に取付けるように構成すればよいものである。
【００４０】
本実施形態（実施形態１）の多用途帽子は上記のように構成されている。そして、帽子として使用するときは、図８に示すように、装着用の紐を取付けないで、従来通りに頭部Ａへ嵌合して使用する。また、前記紐を取付けることにより、図９に示すように、身体Ｘの所望の部位（図示では腰部Ｂ）へ前記紐を利用して前記帽子を安定して装着して使用することができる。
【００４１】
実施形態１によれば次のような作用効果を奏する。
（１）先行発明の上述した作用効果を発揮する多用途帽子を提供することができる。
（２）装着用の紐を取付けないで使用する場合には、頭部に嵌合して着用し、帽子として使用することができる。
（３）前記紐を取付けて使用することにより、頭部以外の身体の所望の部位へ帽子を安定して装着することができる。
（４）帽子に水晶パワーによる心理的効果を具備させることができる。
【００４２】
図１０ないし図１４は本考案の他の実施形態（実施形態２）の多用途帽子を示す。なお、実施形態２の多用途帽子において、実施形態１で既に説明した構成と共通する構成部等には同一符号を付して説明を省略する。この点については、後述する各実施形態においても同様である。
【００４３】
実施形態２の多用途帽子は、前記帽子１００の底壁部２の前記各折り返し壁部２２の外壁面の所望の部位を補強材４で補強した構成に特徴がある。
【００４４】
補強材４の素材は特に限定するものではないが、例えばプラスチック板、アルミ金属板、ステンレス板、硬質プラスチック板、プラスチック製ベニヤ板、厚紙等の紙材、木製板等の木材、竹材等を採用できる。なお、補強材の素材については、後述する各実施形態においても同様である。
【００４５】
上述したように、補強材４の素材は特に限定するものではないが、実施形態２では、補強材として、ステンレス板を採用している。
【００４６】
実施形態２の補強材４は、肉厚：約０．４ミリないし約０．６ミリのステンレス板を図１２、図１３等に示すように、底壁部２の各折り返し壁部２２の横幅より幾分短尺の横幅（図１１において左右方向の長さ）、かつ、約１０ミリ程度の縦幅（図１１において上下方向の幅）の概略長方形状に切断して形成した補強用板材４０で構成されている。
【００４７】
そして、前記補強用板材４０を前記折り線２１側の部位に位置させて、各折り返し壁部２２の外壁面に強力接着剤や両面粘着テープ（いずれも不図示）等で強固に接着固定して、各壁部２２を補強した例が開示されている。これにより、各折り返し壁部２２は補強材４で補強される。また、上記のように、各返し壁部を補強材で補強することにより、帽子本体１の底部側、即ち、帽子本体の略三角形状の各壁部１０の底部側（前記折り線２１側）の強度が増強される傾向になる。他の構成は実施形態１と同様である。
【００４８】
実施形態２の多用途帽子は上記のように構成したもので、実施形態１の多用途帽子と同様に使用される。これにより、実施形態１の前記帽子の上述した諸効果に加え、底壁部に前記紐を取付けて底壁部が引っ張られても底壁部及び帽子本体が変形して型崩れを起こすことを防止することができる。
【００４９】
図１５ないし図１７は本考案のさらに他の実施形態（実施形態３）の多用途帽子を示す。
【００５０】
実施形態３の多用途帽子は、前記帽子１００の帽子本体１の前記略三角形状の各壁部１０の外壁面の所望の部位を補強材４Ａで補強した構成に特徴がある。
【００５１】
実施形態３は、補強材４Ａとして実施形態２と同様にステンレス板を採用している。実施形態３の補強材４Ａは、実施形態２の補強材と略同一の肉厚のステンレス板を帽子本体１の前記各壁部１０の底部近く側の形状と略対応する形状及び大きさに切断して形成した補強用板材４０Ａで構成されている。
【００５２】
そして、前記補強用板材４０Ａを前記各壁部１０の底部近く、即ち、各壁部の折り線２１の近くに沿わせて、各壁部１０の外壁面に実施形態２と同様の接着手段で接着固定して、各壁部１０を補強した例が開示されている。これにより、帽子本体の前記各壁部１０は補強材４Ａで補強される。また、上記のように前記各壁部１０を補強することにより、各折り返し壁部２２の折り線２１側の部位の強度が増強される傾向になる。他の構成は実施形態１と同様である。
【００５３】
実施形態３の多用途帽子は上記のように構成され、実施形態１の多用途帽子と同様に使用される。これにより、実施形態２の多用途帽子と同様の作用効果を奏する。
【００５４】
図１８及び図１９は、本考案のさらに他の実施形態（実施形態４）の多用途帽子を示す。
【００５５】
実施形態４の多用途帽子は、前記帽子１００の底壁部２の各折り返し壁部２２の外壁面及び帽子本体１の前記略三角形状の各壁部１０の外側面の所望の部位を補強材５で補強した構成に特徴がある。
【００５６】
実施形態４の補強材５は、硬質プラスチック製の補強材を採用している。
【００５７】
前記補強材５は、帽子本体１の前記各壁部１０の底部近く側の形状及び前記各折り返し壁部２２の前記折り線２１の近く側の形状と対応させるように、概略Ｌ字形の所望の肉厚のアングル状に形成した補強用部材５０で構成されている。
【００５８】
そして、前記補強用部材５０を帽子本体１の各壁部１０の外壁面の底部近くの部位及び前記各折り返し壁部２２の外壁面の各折り線２１の近くの部位に実施形態２と同様の接着手段で接着固定して前記略三角形状の各壁部１０及び各折り返し壁部２２を補強した例が開示されている。
【００５９】
上記により、帽子本体１の前記各壁部１０及び底壁部２の各折り返し壁部２２は前記補強材５で補強される。他の構成は実施形態１と同様である。
【００６０】
実施形態４の多用途帽子は上記のように構成され、実施形態１の多用途帽子と同様に使用される。これにより、実施形態１の多用途帽子の作用効果に加え、実施形態２の多用途帽子の作用効果及び実施形態３の多用途帽子の作用効果を合わせた作用効果を発揮する。
【００６１】
なお、上記した各実施形態の多用途帽子は一例として開示したもので、本考案は上記実施形態に限定されるものではなく、実用新案登録請求の範囲に記載の技術思想を越脱しない範囲において任意に変更可能なものである。
【符号の説明】
【００６２】
１        帽子本体
２        底壁部
３        クオーツ
４        補強材
４Ａ      補強材
６        取付手段
１０      略三角形状の壁部
１１      中空内部
２０      嵌合孔
２１      折り線
２２      折り返し壁部
２３      留め具
１００    帽子
２００    装着用の紐
【図１】
0003213577.tif 000003
【図２】
0003213577.tif 000004
【図３】
0003213577.tif 000005
【図４】
0003213577.tif 000006
【図５】
0003213577.tif 000007
【図６】
0003213577.tif 000008
【図７】
0003213577.tif 000009
【図８】
0003213577.tif 000010
【図９】
0003213577.tif 000011
【図１０】
0003213577.tif 000012
【図１１】
0003213577.tif 000013
【図１２】
0003213577.tif 000014
【図１３】
0003213577.tif 000015
【図１４】
0003213577.tif 000016
【図１５】
0003213577.tif 000017
【図１６】
0003213577.tif 000018
【図１７】
0003213577.tif 000019
【図１８】
0003213577.tif 000020
【図１９】
0003213577.tif 000021